(57)【要約】【課題】  室内の空気環境を十分に快適化することができる環境ナビゲーション装置及び環境ナビゲーションプログラムを提供する。【解決手段】  環境ナビゲーション装置１０は、室内ＲＭに設置され持ち運びが可能である環境ナビゲーション装置であって、検知部１１と判定部１２と提案部１３とを備える。検知部１１は、室内ＲＭの空気環境を検知する。判定部１２は、室内ＲＭの空気環境に基づき、室内ＲＭの空気環境が快適範囲の範囲内であるか否かを判定する。提案部１３は、少なくとも判定部１２が判定した結果に基づき、室内ＲＭの空気環境が快適範囲の範囲内になるような改善方法を提案する。【選択図】      図１
2006097907.tif 000002
【特許請求の範囲】
【請求項１】
室内に設置され、持ち運びが可能である環境ナビゲーション装置（１０，１１０）であって、
前記室内の空気環境を検知する検知部（１１）と、
前記室内の前記空気環境の情報に基づき、前記室内の前記空気環境が快適範囲の範囲内であるか否かを判定する判定部（１２）と、
少なくとも前記判定部（１２）が判定した結果の情報に基づき、前記室内の前記空気環境が前記快適範囲の範囲内になるような改善方法を提案する提案部（１３）と、
を備えた、
環境ナビゲーション装置（１０，１１０）。
【請求項２】
前記提案部（１３）が提案した前記改善方法の情報に基づき、前記改善方法を音声により報知する発声部（１４）をさらに備えた、
請求項１に記載の環境ナビゲーション装置（１０，１１０）。
【請求項３】
前記提案部（１３）が提案した前記改善方法の情報に基づき、前記改善方法を画面（１３５）に表示することにより報知する表示部（１１４）をさらに備えた、
請求項１に記載の環境ナビゲーション装置（１１０）。
【請求項４】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも１つである、
請求項１から３のいずれか１項に記載の環境ナビゲーション装置（１０，１１０）。
【請求項５】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上であり、
前記判定部（１２）は、前記室内の複数の前記空気環境に優先順位を付けて、前記室内の前記空気環境の情報に基づき、前記室内の前記空気環境が前記快適範囲の範囲内であるか否かを判定する、
請求項１から３のいずれか１項に記載の環境ナビゲーション装置（１０，１１０）。
【請求項６】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上であり、
前記提案部（１３）は、前記室内の複数の前記空気環境に優先順位を付けて、少なくとも前記判定部（１２）が判定した結果の情報に基づき、前記室内の前記空気環境が前記快適範囲の範囲内になるような改善方法を提案する、
請求項１から３のいずれか１項に記載の環境ナビゲーション装置（１０，１１０）。
【請求項７】
前記改善方法は、換気方法及び前記室内の前記空気環境を調和する空調機の運転方法の少なくとも１つである、
請求項１から６のいずれか１項に記載の環境ナビゲーション装置（１０，１１０）。
【請求項８】
前記空調機の前記運転方法は、前記空調機の運転モード、前記空調機の設定温度、前記空調機の設定湿度、前記空調機の設定風量、前記空調機の設定風向、前記空調機の除湿量、前記空調機の加湿量、前記空調機の換気量及び前記空調機の空気清浄能力の少なくとも１つについての改善方法である、
請求項７に記載の環境ナビゲーション装置（１０，１１０）。
【請求項９】
前記室内の前記空気環境に対する快適感が入力される入力部（１７，１１７）と、
前記快適感の情報に基づいて、前記室内の前記空気環境の前記快適範囲を決定する決定部（１６）と、
をさらに備えた、
請求項１から８のいずれか１項に記載の環境ナビゲーション装置（１０，１１０）。
【請求項１０】
前記決定部（１６）が決めた前記快適範囲を記憶する記憶部（１５）をさらに備えた、
請求項９に記載の環境ナビゲーション装置（１０，１１０）。
【請求項１１】
室内に設置され持ち運びが可能である装置（１０，１１０）において、前記室内の空気環境がナビゲートされる環境ナビゲーション方法であって、
前記室内の前記空気環境が検知される検知ステップと、
前記室内の前記空気環境の情報に基づき、前記室内の前記空気環境が快適範囲の範囲内であるか否かが判定される判定ステップと、
少なくとも前記判定ステップで判定された結果の情報に基づき、前記室内の前記空気環境が前記快適範囲の範囲内になるような改善方法が提案される提案ステップと、
を備えた、
環境ナビゲーション方法。
【請求項１２】
室内に設置され、持ち運びが可能である装置（１０，１１０）に前記室内の空気環境をナビゲートさせる環境ナビゲーションプログラムであって、
前記室内の前記空気環境が検知される検知ステップと、
前記室内の前記空気環境の情報に基づき、前記室内の前記空気環境が快適範囲の範囲内であるか否かが判定される判定ステップと、
少なくとも前記判定ステップで判定された結果の情報に基づき、前記室内の前記空気環境が前記快適範囲の範囲内になるような改善方法が提案される提案ステップと、
を備えた、
環境ナビゲーションプログラム。
【発明の詳細な説明】
【技術分野】
【０００１】
本発明は、環境ナビゲーション装置及び環境ナビゲーションプログラムに関する。
【背景技術】
【０００２】
従来から、室内が快適範囲の範囲内にあるか否かをモニターして表示する装置が提案されている（例えば、特許文献１参照。）。
【特許文献１】特開平６−２０７７３４（第１−８頁、第１−９図）
【発明の開示】
【発明が解決しようとする課題】
【０００３】
しかし、従来の装置では、快適範囲の範囲内にあるか否かがナビゲートされるが、具体的にどのようにして室内を快適範囲の範囲内になるようにするのかが十分にナビゲートされないおそれがある。そのため、室内の空気環境を十分に快適化できないおそれがある。
そこで、本発明の課題は、室内の空気環境を十分に快適化することができる環境ナビゲーション装置及び環境ナビゲーションプログラムを提供することにある。
【課題を解決するための手段】
【０００４】
第１発明に係る環境ナビゲーション装置は、室内に設置され持ち運びが可能である環境ナビゲーション装置であって、検知部と判定部と提案部とを備える。検知部は、室内の空気環境を検知する。判定部は、室内の空気環境の情報に基づき、室内の空気環境が快適範囲の範囲内であるか否かを判定する。提案部は、少なくとも判定部が判定した結果の情報に基づき、室内の空気環境が快適範囲の範囲内になるような改善方法を提案する。
【０００５】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
【０００６】
したがって、室内の空気環境が快適範囲の範囲内になるような改善方法を提案するので、室内の空気環境を十分に快適化することができる。
第２発明に係る環境ナビゲーション装置は、第１発明の環境ナビゲーション装置であって、発声部をさらに備える。発声部は、提案部が提案した改善方法の情報に基づき、改善方法を音声により報知する。
【０００７】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。発声部が、改善方法の情報を受け取ることができる。発声部が、提案部が提案した改善方法の情報に基づき、改善方法を音声により報知する。
【０００８】
したがって、改善方法を音声により報知するので、改善方法を容易に把握することができる。
第３発明に係る環境ナビゲーション装置は、第１発明の環境ナビゲーション装置であって、表示部をさらに備える。表示部は、提案部が提案した改善方法の情報に基づき、改善方法を画面に表示することにより報知する。
【０００９】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。表示部が、改善方法の情報を受け取ることができる。表示部が、提案部が提案した改善方法の情報に基づき、改善方法を画面に表示することにより報知する。
【００１０】
したがって、改善方法を画面に表示することにより報知するので、改善方法を容易に把握することができる。
第４発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも１つである。
【００１１】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも１つである。検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
【００１２】
したがって、室内の空気環境が快適範囲の範囲内であるか否かを詳細に判定することができるので、室内の空気環境が快適範囲の範囲内になるような改善方法を詳細に提案することができる。
なお、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つである。
【００１３】
第５発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも２つ以上である。判定部は、室内の複数の空気環境に優先順位を付けて、室内の空気環境の情報に基づき、室内の空気環境が快適範囲の範囲内であるか否かを判定する。
【００１４】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも２つ以上である。検知部が、室内の空気環境を検知する。判定部が、室内の空気環境の情報を受け取ることができる。判定部が、室内の複数の空気環境に優先順位を付けて、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
【００１５】
したがって、室内の複数の空気環境に優先順位を付けて室内の空気環境が快適範囲の範囲内にあるか否かを判定するので、室内の空気環境のうち重要なものを優先的に快適化することができる。
第６発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも２つ以上である。提案部は、室内の複数の空気環境に優先順位を付けて、少なくとも判定部が判定した結果の情報に基づき、室内の空気環境が快適範囲の範囲内になるような改善方法を提案する。
【００１６】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも２つ以上である。検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、室内の複数の空気環境に優先順位を付けて、少なくとも判定部が判定した結果の情報に基づき、室内の空気環境が快適範囲の範囲内になるような改善方法を提案する。
【００１７】
したがって、室内の複数の空気環境に優先順位を付けて室内の空気環境が快適範囲の範囲内になるような改善方法を提案するので、複数の改善方法がある場合にそれらを調整して提案することができる。
第７発明に係る環境ナビゲーション装置は、第１発明から第６発明のいずれかの環境ナビゲーション装置であって、改善方法は、換気方法及び空調機の運転方法の少なくとも１つである。空調機は、室内の空気環境を調和する。
【００１８】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。改善方法が、換気方法及び空調機の運転方法の少なくとも１つである。
【００１９】
したがって、換気方法及び空調機の運転方法の少なくとも１つについて室内の空気環境が快適範囲の範囲内になるような改善方法を提案するので、室内の空気環境を詳細に快適化することができる。
第８発明に係る環境ナビゲーション装置は、第７発明の環境ナビゲーション装置であって、空調機の運転方法は、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法である。
【００２０】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。改善方法が、空調機の運転方法及び換気方法の少なくとも１つである。空調機の運転方法が、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法である。
【００２１】
したがって、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法を提案することができるので、室内の空気環境をさらに詳細に快適化することができる。
第９発明に係る環境ナビゲーション装置は、第１発明から第８発明のいずれかの環境ナビゲーション装置であって、入力部と決定部とをさらに備える。入力部には、室内の空気環境に対する快適感が入力される。決定部は、快適感の情報に基づいて、室内の空気環境の快適範囲を決定する。
【００２２】
この環境ナビゲーション装置では、入力部に、室内の空気環境に対する快適感が入力される。決定部が、快適感の情報を受け取ることができる。決定部が、快適感の情報に基づいて、室内の空気環境の快適範囲を決定する。決定部が決定した快適範囲の情報を記憶することができる。検知部が、室内の空気環境を検知する。判定部が、室内の空気環境の情報を受け取ることができる。判定部が、決定部が決定した快適範囲の情報を参照することができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。
【００２３】
したがって、室内の空気環境の快適範囲が利用者の快適感の情報に基づいて決定されるので、快適範囲を利用者ごとに決定することができる。このため、利用者の好みに合わせて室内の空気環境を快適化することができる。
第１０発明に係る環境ナビゲーション装置は、第９発明の環境ナビゲーション装置であって、記憶部をさらに備える。記憶部は、決定部が決めた快適範囲を記憶する。
【００２４】
この環境ナビゲーション装置では、入力部に、室内の空気環境に対する快適感が入力される。決定部が、快適感の情報を受け取ることができる。決定部が、快適感の情報に基づいて、室内の空気環境の快適範囲を決定する。記憶部が、決定部が決めた快適範囲の情報を受け取ることができる。記憶部が、決定部が決めた快適範囲を記憶する。検知部が、室内の空気環境を検知する。判定部が、室内の空気環境の情報を受け取ることができる。判定部が、記憶部を参照して、決定部が決めた快適範囲の情報を受け取ることができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。
【００２５】
したがって、決定部が決めた快適範囲を記憶しているので、決定部が決めた快適範囲の情報を参照することができる。このため、室内の空気環境が利用者の好みにあった快適範囲の範囲内になるような改善方法を提案することができる。
第１１発明に係る環境ナビゲーション方法は、室内に設置され持ち運びが可能である装置において、室内の空気環境がナビゲートされる環境ナビゲーション方法であって、検知ステップと判定ステップと提案ステップとを備える。検知ステップでは、室内の空気環境が検知される。判定ステップでは、室内の空気環境の情報に基づき、室内の空気環境が快適範囲の範囲内であるか否かが判定される。提案ステップでは、少なくとも判定ステップで判定された結果の情報に基づき、室内の空気環境が快適範囲の範囲内になるような改善方法が提案される。
【００２６】
この環境ナビゲーション方法では、検知ステップにおいて、室内の空気環境が検知される。判定ステップにおいて、室内の空気環境の情報が受け取られ得る。判定ステップにおいて、室内の空気環境の情報に基づき、室内の空気環境が快適範囲の範囲内であるか否かが判定される。提案ステップにおいて、少なくとも判定ステップで判定された結果の情報が受け取られ得る。提案ステップにおいて、少なくとも判定ステップで判定された結果の情報に基づき、室内の空気環境が快適範囲の範囲内になるような改善方法が提案される。
【００２７】
したがって、室内の空気環境が快適範囲の範囲内になるような改善方法を提案するので、室内の空気環境を十分に快適化することができる。
第１２発明に係る環境ナビゲーションプログラムは、室内に設置され、持ち運びが可能である装置に室内の空気環境をナビゲートさせる環境ナビゲーションプログラムであって、検知ステップと判定ステップと提案ステップとを備える。検知ステップでは、室内の空気環境が検知される。判定ステップでは、室内の空気環境の情報に基づき、室内の空気環境が快適範囲の範囲内であるか否かが判定される。提案ステップでは、少なくとも判定ステップで判定された結果の情報に基づき、室内の空気環境が快適範囲の範囲内になるような改善方法が提案される。
【００２８】
この環境ナビゲーションプログラムでは、検知ステップにおいて、室内の空気環境が検知される。判定ステップにおいて、室内の空気環境の情報が受け取られ得る。判定ステップにおいて、室内の空気環境の情報に基づき、室内の空気環境が快適範囲の範囲内であるか否かが判定される。提案ステップにおいて、少なくとも判定ステップで判定された結果の情報が受け取られ得る。提案ステップにおいて、少なくとも判定ステップで判定された結果の情報に基づき、室内の空気環境が快適範囲の範囲内になるような改善方法が提案される。
【００２９】
したがって、室内の空気環境が快適範囲の範囲内になるような改善方法を提案するので、室内の空気環境を十分に快適化することができる。
【発明の効果】
【００３０】
第１発明に係る環境ナビゲーション装置では、室内の空気環境が快適範囲の範囲内になるような改善方法を提案するので、室内の空気環境を十分に快適化することができる。
第２発明に係る環境ナビゲーション装置では、改善方法を音声により報知するので、改善方法を容易に把握することができる。
第３発明に係る環境ナビゲーション装置では、改善方法を画面に表示することにより報知するので、改善方法を容易に把握することができる。
【００３１】
第４発明に係る環境ナビゲーション装置では、室内の空気環境が快適範囲の範囲内であるか否かを詳細に判定することができるので、室内の空気環境が快適範囲の範囲内になるような改善方法を詳細に提案することができる。
第５発明に係る環境ナビゲーション装置では、室内の複数の空気環境に優先順位を付けて室内の空気環境が快適範囲の範囲内にあるか否かを判定するので、室内の空気環境のうち重要なものを優先的に快適化することができる。
【００３２】
第６発明に係る環境ナビゲーション装置では、室内の複数の空気環境に優先順位を付けて室内の空気環境が快適範囲の範囲内になるような改善方法を提案するので、複数の改善方法がある場合にそれらを調整して提案することができる。
第７発明に係る環境ナビゲーション装置では、換気方法及び空調機の運転方法の少なくとも１つについて室内の空気環境が快適範囲の範囲内になるような改善方法を提案するので、室内の空気環境を詳細に快適化することができる。
【００３３】
第８発明に係る環境ナビゲーション装置では、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法を提案することができるので、室内の空気環境を詳細に快適化することができる。
第９発明に係る環境ナビゲーション装置では、室内の空気環境の快適範囲が利用者の快適感の情報に基づいて決定されるので、快適範囲を利用者ごとに決定することができる。このため、利用者の好みに合わせて室内の空気環境を快適化することができる。
【００３４】
第１０発明に係る環境ナビゲーション装置では、決定部が決めた快適範囲を記憶しているので、決定部が決めた快適範囲の情報を参照することができる。このため、室内の空気環境が利用者の好みにあった快適範囲の範囲内になるような改善方法を提案することができる。
第１１発明に係る環境ナビゲーション方法では、室内の空気環境が快適範囲の範囲内になるような改善方法を提案するので、室内の空気環境を十分に快適化することができる。
【００３５】
第１２発明に係る環境ナビゲーションプログラムでは、室内の空気環境が快適範囲の範囲内になるような改善方法を提案するので、室内の空気環境を十分に快適化することができる。
【発明を実施するための最良の形態】
【００３６】
［第１実施形態］
本発明の第１実施形態に係る環境ナビゲーション装置１０の概念図を図１に示す。また、本発明の第１実施形態に係る環境ナビゲーション装置１０の構成要素の構成図を図２に示す。図１に示す環境ナビゲーション装置１０は、主として室内ＲＭに設置され、持ち運びが可能である。環境ナビゲーション装置１０は、例えば、図１に示すように、ぴちょんくん（登録商標）の外形を備えている。
【００３７】
＜環境ナビゲーション装置１０の構成＞
図１に示す環境ナビゲーション装置１０は、図２に示すように、主として、検知部１１，判定部１２，提案部１３，発声部１４及び記憶部１５を備える。
図２に示す検知部１１が、室内ＲＭ（図１参照）の空気環境を検知する。判定部１２が、室内ＲＭ（図１参照）の空気環境の情報を検知部１１から受け取る。判定部１２が、記憶部１５を参照し、快適範囲情報１８を取得する。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを、判定部１２から受け取る。ここで、判定部１２が判定した結果の情報は、室内ＲＭ（図１参照）の空気環境が快適範囲の範囲内であるか否かの情報である。提案部１３が、記憶部１５を参照し、提案情報１９を取得する。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。発声部１４が、改善方法の情報を提案部１３から受け取る。発声部１４が、提案部１３が提案した改善方法の情報に基づき、改善方法を音声により報知する。すなわち、室内ＲＭ（図１参照）の空気環境がナビゲートされる。
【００３８】
＜快適範囲情報１８の構成＞
図２に示す快適範囲情報１８は、どのような場合に室内ＲＭ（図１参照）の空気環境が快適範囲の範囲内であるのかを示す情報である。快適範囲情報１８は、例えば、図４に示す情報である。快適範囲情報１８は、図４に示すように、主として、環境欄１８１，下限欄１８２及び上限欄１８３を備える。図４に示す快適範囲情報１８を参照することにより、例えば、温度の快適範囲が２０℃〜２６℃であることが分かる。あるいは、例えば、湿度の快適範囲が４０％〜７０％であることが分かる。あるいは、例えば、露点との温度差の快適範囲が４℃以上であることが分かる。ここで、露点との温度差とは、
露点との温度差＝（室内の温度）−（露点温度）                    （１）
の式で求められる。あるいは、例えば、ＣＯ２濃度の快適範囲が１０００ｐｐｍ以下であることが分かる。
【００３９】
＜提案情報１９の構成＞
図２に示す提案情報１９は、提案部１３が提案する内容の候補となる情報である。提案情報１９は、例えば、図５に示す情報である。提案情報１９は、図５に示すように、主として環境欄１９１，下限欄１９２，上限欄１９３及びナビゲート内容欄１９４を備える。図５に示す提案情報１９を参照することにより、例えば、温度が２７℃以上のときに「設定温度を２４℃にして下さい」と空調機（図示せず）の運転方法がナビゲートされる。ここで、空調機（図示せず）は、室内ＲＭ（図１参照）の空気環境を調和する。あるいは、例えば、温度が１９℃以下のときに「設定温度を２４℃にして下さい」と空調機（図示せず）の運転方法がナビゲートされる。あるいは、例えば、露点との温度差が４℃以上のときに「風量「弱」で除湿運転して下さい」と空調機（図示せず）の運転方法がナビゲートされる。あるいは、例えば、露点との温度差が０℃〜４℃のときに「風量「強」で除湿運転して下さい」と空調機（図示せず）の運転方法がナビゲートされる。あるいは、例えば、露点との温度差が０℃以下のときに「窓を２分間開けて下さい」と換気方法がナビゲートされる。あるいは、例えば、ＣＯ２濃度が３０００ｐｐｍ以上のときに「窓を５分間開けて下さい」と換気方法がナビゲートされる。あるいは、例えば、ＣＯ２濃度が１５５０ｐｐｍ〜３０００ｐｐｍのときに「窓を２分間開けて下さい」と換気方法がナビゲートされる。
【００４０】
＜環境ナビゲーション装置１０が室内ＲＭの空気環境をナビゲートする処理の流れ＞
図１に示す環境ナビゲーション装置１０が室内ＲＭの空気環境をナビゲートする処理の流れを、図３に示すフローチャートを用いて説明する。
図３に示すステップＳ１では、図１に示す室内ＲＭの空気環境が検知される。すなわち、図２に示す検知部１１により、室内ＲＭ（図１参照）の空気環境が検知される。
【００４１】
図３に示すステップＳ２では、図１に示す室内ＲＭの空気環境が快適範囲の範囲内であるか否かが判断される。すなわち、図２に示す環境ナビゲーション装置１０の判定部１２により、室内ＲＭ（図１参照）の空気環境の情報が検知部１１から受け取られる。判定部１２により、記憶部１５が参照され、快適範囲情報１８が取得される。判定部１２により、室内ＲＭ（図１参照）の空気環境の情報に基づき、室内ＲＭ（図１参照）の空気環境が快適範囲の範囲内であるか否かが判定される。快適範囲の範囲内であると判断された場合、ステップＳ１へ進められ、快適範囲の範囲内でないと判断された場合、ステップＳ３へ進められる。
【００４２】
図３に示すステップＳ３では、改善方法が提案される。すなわち、図２に示す環境ナビゲーション装置１０の提案部１３により、判定部１２が判定した結果の情報と室内ＲＭ（図１参照）の空気環境の情報とが、判定部１２から受け取られる。ここで、判定部１２が判定した結果の情報は、室内ＲＭ（図１参照）の空気環境が快適範囲の範囲内であるか否か情報である。提案部１３により、記憶部１５が参照され、提案情報１９が取得される。提案部１３により、判定部１２が判定した結果の情報と室内ＲＭ（図１参照）の空気環境の情報とに基づき、室内ＲＭ（図１参照）の空気環境が快適範囲の範囲内になるような改善方法が提案される。
【００４３】
図３に示すステップＳ４では、ナビゲートが行われる。すなわち、図２に示す環境ナビゲーション装置１０の発声部１４により、改善方法の情報が提案部１３から受け取られる。発声部１４により、提案部１３が提案した改善方法の情報に基づき、改善方法が音声により報知される。これにより、室内ＲＭ（図１参照）の空気環境がナビゲートされる。
＜環境ナビゲーション装置１０に関する特徴＞
（１）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。
【００４４】
したがって、室内ＲＭ（図１参照）の空気環境が快適範囲の範囲内になるような改善方法を提案するので、室内ＲＭ（図１参照）の空気環境を十分に快適化することが可能である。
（２）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。発声部１４が、改善方法の情報を提案部１３から受け取る。発声部１４が、提案部１３が提案した改善方法の情報に基づき、改善方法を音声により報知する。
【００４５】
したがって、改善方法を音声により報知するので、改善方法を容易に把握することが可能である。
（３）
ここでは、図１に示す室内ＲＭの空気環境が、室内ＲＭの温度、室内ＲＭの露点との温度差、室内ＲＭの湿度及び室内のＣＯ２（二酸化炭素）濃度である（図４参照）。図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。
【００４６】
したがって、図１に示す室内ＲＭの空気環境が快適範囲の範囲内であるか否かを詳細に判定することが可能であるので、室内ＲＭの空気環境が快適範囲の範囲内になるような改善方法を詳細に提案することが可能である。
（４）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。改善方法が、換気方法及び空調機の運転方法である（図５参照）。
【００４７】
したがって、換気方法及び空調機の運転方法（図５参照）について室内ＲＭ（図１参照）の空気環境が快適範囲の範囲内になるような改善方法を提案するので、室内ＲＭ（図１参照）の空気環境を詳細に快適化することが可能である。
（５）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。改善方法が、換気方法及び空調機の運転方法である（図５参照）。空調機の運転方法が、空調機の運転モード、空調機の設定温度、空調機の設定風量についての改善方法である（図５参照）。
【００４８】
したがって、空調機の運転モード、空調機の設定温度、空調機の設定風量（図５参照）についての改善方法を提案することが可能であるので、室内ＲＭ（図１参照）の空気環境をさらに詳細に快適化することが可能である。
＜第１実施形態の変形例＞
（Ａ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも１つであってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。図２に示す検知部１１は、室内ＲＭの温度、室内ＲＭの湿度及び室内ＲＭの気圧を測定し、これらから室内ＲＭの露点温度を求め、室内ＲＭの露点との温度差を求めることにより、室内ＲＭの露点との温度差を検知してもよい。また、図２に示す検知部１１が室内ＲＭの温度、室内ＲＭの湿度及び室内ＲＭの気圧を検知し、これらの情報に基づいて判定部１２が天気を判定し、発声部１４が天気の予想をナビゲートしてもよい。検知部１２で検知された室内ＲＭの空気環境の情報は、記憶部１５に蓄積されてもよい。さらに、記憶部１５に記憶された室内ＲＭの空気環境の情報が分析されてもよい。図２に示す発声部１４は、例えば、ぴちょんくんの口３１（図１参照）付近に設置されたスピーカー（図示せず）を介して、改善方法を報知してもよい。提案部１３は、判定部１２が判定した結果のみに基づいて、室内ＲＭ（図１参照）の空気環境が快適範囲の範囲内になるような改善方法を提案してもよい。この場合、図５に示す下限欄１９２と上限欄１９３とは無くてもよい。ナビゲート内容欄１９４には、快適範囲を高い方に外れたのか低い方に外れたのかにかかわらず快適範囲を外れた場合にナビゲートされるべき内容が記憶されていてもよい。
【００４９】
（Ｂ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す判定部１２が、室内ＲＭ（図１参照）の複数の空気環境に優先順位を付けて、室内ＲＭ（図１参照）の空気環境の情報に基づき、室内ＲＭ（図１参照）の空気環境が快適範囲の範囲内であるか否かを判定してもよい。例えば、優先順位が室内ＲＭ（図１参照）の温度、室内ＲＭ（図１参照）の露点との温度差の順である場合、判定部１２は、室内ＲＭ（図１参照）の温度が快適範囲の範囲内にあれば、室内ＲＭ（図１参照）の露点との温度差が快適範囲の範囲内でなくても室内ＲＭ（図１参照）の空気環境が快適範囲の範囲内であると判定する。これにより、室内ＲＭ（図１参照）の空気環境のうち重要なもの（例えば、室内ＲＭ（図１参照）の温度）を優先的に快適化することができる。
【００５０】
（Ｃ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す提案部１３は、室内ＲＭ（図１参照）の複数の空気環境に優先順位を付けて、判定部１２が判定した結果の情報と室内ＲＭ（図１参照）の空気環境の情報とに基づき、室内ＲＭ（図１参照）の空気環境が快適範囲の範囲内になるような改善方法を提案してもよい。例えば、優先順位が室内ＲＭ（図１参照）の温度、室内ＲＭ（図１参照）の露点との温度差の順である場合を考える。図５に示すように、室内ＲＭ（図１参照）の温度が１９℃以下であれば、「設定温度を２４℃にしてください。」と空調機の運転方法がナビゲートされる。一方、室内ＲＭ（図１参照）の露点との温度差が０℃以下であれば、「窓を２分間開けてください。」と換気方法がナビゲートされる。この場合、室内ＲＭ（図１参照）の温度が快適範囲よりも低いにもかかわらず窓を開けてしまうと室内ＲＭ（図１参照）の温度が快適範囲よりもさらに低くなってしまう。そこで、提案部１３は、「窓を２分間開けてください。」というナビゲート内容は採用せずに、「設定温度を２４℃にしてください。」という空調機の運転方法のみをナビゲートする。したがって、複数の空気環境に優先順位を付けて室内ＲＭ（図１参照）の空気環境が快適範囲の範囲内になるような改善方法を提案するので、複数の改善方法がある場合にそれらを調整して提案することができる。
【００５１】
（Ｄ）図２に示す提案部１３が提案する改善方法のうち空調機（図示せず）の運転方法は、空調機（図示せず）の運転モード、空調機（図示せず）の設定温度、空調機（図示せず）の設定湿度、空調機（図示せず）の設定風量、空調機（図示せず）の設定風向、空調機（図示せず）の除湿量、空調機（図示せず）の加湿量、空調機（図示せず）の換気量及び空調機（図示せず）の空気清浄能力の少なくとも１つについての改善方法であってもよい。したがって、空調機（図示せず）の運転モード、空調機（図示せず）の設定温度、空調機（図示せず）の設定湿度、空調機（図示せず）の設定風量、空調機（図示せず）の設定風向、空調機（図示せず）の除湿量、空調機（図示せず）の加湿量、空調機（図示せず）の換気量及び空調機（図示せず）の空気清浄能力の少なくとも１つについての改善方法を提案することができるので、室内ＲＭ（図１参照）の空気環境を詳細に快適化することができる。
【００５２】
（Ｅ）図１に示す環境ナビゲーション装置１０は、図２に示すように、決定部１６と入力部１７とをさらに備えてもよい。すなわち、入力部１７に、室内ＲＭ（図１参照）の空気環境に対する快適感が入力される。決定部１６が、快適感の情報を入力部１７から受け取る。決定部１６が、快適感の情報に基づいて、室内ＲＭ（図１参照）の空気環境の快適範囲を決定する。記憶部１５が、決定部１６が決めた快適範囲の情報を決定部１６から受け取る。記憶部１５が、決定部１６が決めた快適範囲を記憶する。すなわち、決定部１６が、決定部１６が決めた快適範囲の情報に基づいて、記憶部１５の快適範囲情報１８をデフォルトの情報から書き換える。
【００５３】
入力部１７には、例えば、図１に示す環境ナビゲーション装置１０（ぴちょんくん）のおでこ３４が押されることにより快適であることが入力されてもよいし、環境ナビゲーション装置１０（ぴちょんくん）の手３２が握られることにより快適であることが入力されてもよいし、環境ナビゲーション装置１０（ぴちょんくん）のお腹３３が押されることにより快適であることが入力されてもよい。あるいは、入力部１７には、例えば、「快適だ」という音声がマイクなどの音声装置を介して入力されてもよい。これらの点で第１実施形態と異なる。
【００５４】
また、図１に示す環境ナビゲーション装置１０が室内ＲＭの空気環境をナビゲートする処理の流れが、次の点で第１実施形態と異なる。なお、図６に示すフローチャートにおいて、図３に示す処理と同様の処理は同じ番号で示してある。
図６に示すステップＳ１１では、図１に示す環境ナビゲーション装置１０の利用者（図示せず）により室内ＲＭ（図１参照）の空気環境が快適であるか否かが判断される。快適であると判断された場合、ステップＳ１２へ進められ、快適でないと判断された場合、ステップＳ１へ進められる。
【００５５】
図６に示すステップＳ１２では、図１に示す環境ナビゲーション装置１０の利用者（図示せず）により室内ＲＭ（図１参照）の空気環境について快適感が入力される。すなわち、図２に示す環境ナビゲーション装置１０の入力部１７に、室内ＲＭ（図１参照）の空気環境に対する快適感が入力される。決定部１６により、快適感の情報が入力部１７から受け取られる。
【００５６】
図６に示すステップＳ１３では、図１に示す室内ＲＭの空気環境が検知される。すなわち、図２に示す環境ナビゲーション装置１０の検知部１１により、室内ＲＭ（図１参照）の空気環境が検知される。決定部１６により、室内ＲＭ（図１参照）の空気環境の情報が検知部１１から受け取られる。
図６に示すステップＳ１４では、図１に示す室内ＲＭの空気環境の快適範囲が決定される。すなわち、図２に示す決定部１６により、快適感の情報と室内ＲＭ（図１参照）の空気環境の情報とに基づいて、室内ＲＭ（図１参照）の空気環境の快適範囲が決定される。例えば、室内ＲＭ（図１参照）の温度が２１℃であるときに快適であるとされた場合、室内ＲＭ（図１参照）の温度の快適範囲である２０℃〜２６℃（図４参照）の幅はそのままで範囲の中心が２３℃から２１℃へとシフトされ、室内ＲＭ（図１参照）の温度の快適範囲が１８℃〜２４℃と決められる。
【００５７】
図６に示すステップＳ１５では、図１に示す室内ＲＭの空気環境の快適範囲が記憶される。すなわち、図２に示す記憶部１５により、決定部１６が決めた快適範囲の情報が決定部１６から受け取られる。記憶部１５により、決定部１６が決めた快適範囲が記憶される。すなわち、記憶部１５により、決定部１６が決めた快適範囲の情報に基づいて、快適範囲情報１８がデフォルトの情報から書き換えられる。
【００５８】
したがって、図１に示す室内ＲＭの空気環境の快適範囲が利用者（図示せず）の快適感の情報に基づいて決定されるので、快適範囲を利用者（図示せず）ごとに決定することができる。このため、利用者（図示せず）の好みに合わせて室内ＲＭの空気環境を快適化することができる。また、決定部１６（図２参照）が決めた快適範囲を記憶しているので、決定部１６（図２参照）が決めた快適範囲の情報を参照することができる。このため、室内ＲＭ（図１参照）の空気環境が利用者（図示せず）の好みにあった快適範囲の範囲内になるような改善方法を提案することができる。
【００５９】
なお、図６に示すステップＳ１５は無くてもよい。この場合、図２に示す入力部１７に快適感が入力されたときのみ快適範囲が変更され、それ以外のときは快適範囲情報１８がデフォルトの快適範囲の情報とされてもよい。この場合、快適範囲情報１８は、書き換えられずデフォルトの情報のままである。決定部１６が決定した快適範囲の情報が、記憶部１５を経由せずに判定部１２へ渡されることになる。
【００６０】
また、図２に示す入力部１７には、不快である旨が入力されてもよい。この場合、決定部１６により、不快であるとされた空気環境が外れるように、室内ＲＭ（図１参照）の空気環境の快適範囲が決定されてもよい。
（Ｆ）図１に示す環境ナビゲーション装置１０の外形は、ぴちょんくんでなくてもよい。例えば、動物のぬいぐるみであってもよいし、折りたたみのいすやテーブルのようなものであってもよいし、絵などを入れる額縁のようなものであってもよいし、電気スタンドや筆箱など、持ち運び可能なものであればどのようなものであってもよい。
【００６１】
［第２実施形態］
本発明の第２実施形態に係る環境ナビゲーション装置１１０の概念図を図７に示す。また、本発明の第２実施形態に係る環境ナビゲーション装置１１０の各構成要素の構成図を図８に示す。図７，図８において、図１，図２の環境ナビゲーション装置１０の構成要素と同様の構成要素は同じ番号で示してある。図７に示す環境ナビゲーション装置１１０は、主として室内ＲＭに設置され、持ち運びが可能である。環境ナビゲーション装置１１０は、例えば、ノートパソコンなどである。
【００６２】
この環境ナビゲーション装置１１０は、図７，図８に示すように、基本的な構造は第１実施形態と同様であり各構成要素は図２と同様であるが、図８に示すように、環境ナビゲーション装置１１０が発声部１４（図２参照）の代わりに表示部１１４を備える点で第１実施形態と異なる。すなわち、図８に示す表示部１１４が、改善方法の情報を提案部１３から受け取る。表示部１１４が、提案部１３が提案した改善方法の情報に基づき、改善方法を画面１３５（図７参照）に表示することにより報知する。したがって、改善方法を画面１３５（図７参照）に表示することにより報知するので、改善方法を容易に把握することが可能である。
【００６３】
室内ＲＭ（図１参照）の空気環境が快適範囲の範囲内になるような改善方法を提案する点は、第１実施形態と同様である。したがって、このような環境ナビゲーション装置１１０によっても、室内ＲＭ（図１参照）の空気環境を十分に快適化することが可能である。
＜第２実施形態の変形例＞
（Ａ）図８に示す入力部１１７は、図７に示すキーボード１３２であってもよい。この場合、室内ＲＭの空気環境に対する快適感として詳細な情報が入力され得る。また、環境ナビゲーション装置１１０は、ノートパソコン以外の携帯情報端末であってもよい。例えば、携帯電話であってもよいし、電子手帳であってもよいし、持ち運び可能なものであればどのようなものであってもよい。
【産業上の利用可能性】
【００６４】
本発明にかかる環境ナビゲーション装置及び環境ナビゲーションプログラムは、室内の空気環境を十分に快適化することができるという効果を有し、環境ナビゲーション装置及び環境ナビゲーションプログラム等として有用である。
【図面の簡単な説明】
【００６５】
【図１】本発明の第１実施形態による環境ナビゲーション装置の概念図。
【図２】本発明の第１実施形態による環境ナビゲーション装置の構成図。
【図３】環境ナビゲーション装置が室内の空気環境をナビゲートする処理の流れを示すフローチャート。
【図４】快適範囲情報の内容を示す概念図。
【図５】提案情報の内容を示す概念図。
【図６】環境ナビゲーション装置が室内の空気環境をナビゲートする処理の流れについての変形例を示すフローチャート。
【図７】本発明の第２実施形態による環境ナビゲーション装置の概念図。
【図８】本発明の第２実施形態による環境ナビゲーション装置の構成図。
【符号の説明】
【００６６】
１０，１１０  環境ナビゲーション装置
１１  検知部
１２  判定部
１３  提案部
１４  発声部
１５  記憶部
１６  決定部
１７，１１７  入力部
１１４  表示部
１３５  画面
ＲＭ  室内
【図１】
2006097907.tif 000003
【図２】
2006097907.tif 000004
【図３】
2006097907.tif 000005
【図４】
2006097907.tif 000006
【図５】
2006097907.tif 000007
【図６】
2006097907.tif 000008
【図７】
2006097907.tif 000009
【図８】
2006097907.tif 000010
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
室内の空気環境を検知する検知部（１１）と、
前記室内の前記空気環境の情報に基づき、前記室内の前記空気環境が快適範囲の範囲内であるか否かを判定する判定部（１２）と、
少なくとも前記判定部（１２）が判定した結果の情報に基づき、前記室内の前記空気環境が前記快適範囲の範囲内になるような改善方法を提案する提案部（１３）と、
を備えた、環境ナビゲーション装置（１０，１１０）。
【請求項２】
前記提案部（１３）が提案した前記改善方法の情報に基づき、前記改善方法を音声により報知する発声部（１４）をさらに備えた、
請求項１に記載の環境ナビゲーション装置（１０，１１０）。
【請求項３】
前記提案部（１３）が提案した前記改善方法の情報に基づき、前記改善方法を画面（１３５）に表示することにより報知する表示部（１１４）をさらに備えた、
請求項１に記載の環境ナビゲーション装置（１１０）。
【請求項４】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも１つである、
請求項１から３のいずれか１項に記載の環境ナビゲーション装置（１０，１１０）。
【請求項５】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上であり、
前記判定部（１２）は、前記室内の複数の前記空気環境に優先順位を付けて、前記室内の前記空気環境の情報に基づき、前記室内の前記空気環境が前記快適範囲の範囲内であるか否かを判定する、
請求項１から３のいずれか１項に記載の環境ナビゲーション装置（１０，１１０）。
【請求項６】
前記室内の前記空気環境は、前記室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上であり、
前記提案部（１３）は、前記室内の複数の前記空気環境に優先順位を付けて、少なくとも前記判定部（１２）が判定した結果の情報に基づき、前記室内の前記空気環境が前記快適範囲の範囲内になるような改善方法を提案する、
請求項１から３のいずれか１項に記載の環境ナビゲーション装置（１０，１１０）。
【請求項７】
前記改善方法は、換気方法及び前記室内の前記空気環境を調和する空調機の運転方法の少なくとも１つである、
請求項１から６のいずれか１項に記載の環境ナビゲーション装置（１０，１１０）。
【請求項８】
前記空調機の前記運転方法は、前記空調機の運転モード、前記空調機の設定温度、前記空調機の設定湿度、前記空調機の設定風量、前記空調機の設定風向、前記空調機の除湿量、前記空調機の加湿量、前記空調機の換気量及び前記空調機の空気清浄能力の少なくとも１つについての改善方法である、
請求項７に記載の環境ナビゲーション装置（１０，１１０）。
【請求項９】
前記室内の前記空気環境に対する快適感が入力される入力部（１７，１１７）と、
前記快適感の情報に基づいて、前記室内の前記空気環境の前記快適範囲を決定する決定部（１６）と、
をさらに備えた、請求項１から８のいずれか１項に記載の環境ナビゲーション装置（１０，１１０）。
【請求項１０】
前記決定部（１６）が決めた前記快適範囲を記憶する第１記憶部（１５）をさらに備えた、
請求項９に記載の環境ナビゲーション装置（１０，１１０）。
【請求項１１】
請求項１に記載の環境ナビゲーション装置（１０，１１０）において、前記室内の空気環境がナビゲートされる環境ナビゲーション方法であって、
前記室内の前記空気環境が検知される検知ステップと、
前記室内の前記空気環境の情報に基づき、前記室内の前記空気環境が快適範囲の範囲内であるか否かが判定される判定ステップと、
少なくとも前記判定ステップで判定された結果の情報に基づき、前記室内の前記空気環境が前記快適範囲の範囲内になるような改善方法が提案される提案ステップと、
を備えた、環境ナビゲーション方法。
【請求項１２】
請求項１に記載の環境ナビゲーション装置（１０，１１０）に前記室内の空気環境をナビゲートさせる環境ナビゲーションプログラムであって、
前記室内の前記空気環境が検知される検知ステップと、
前記室内の前記空気環境の情報に基づき、前記室内の前記空気環境が快適範囲の範囲内であるか否かが判定される判定ステップと、
少なくとも前記判定ステップで判定された結果の情報に基づき、前記室内の前記空気環境が前記快適範囲の範囲内になるような改善方法が提案される提案ステップと、
を備えた、環境ナビゲーションプログラム。
【請求項１３】
前記室内の前記空気環境と前記改善方法とを関連付ける提案情報を記憶する第２記憶部をさらに備え、
前記提案部は、前記検知部から取得される前記室内の前記空気環境を前記提案情報に照合して前記改善方法を選択する、
請求項１から１０のいずれかに記載の環境ナビゲーション装置。
【手続補正２】
【補正対象書類名】明細書
【補正対象項目名】全文
【補正方法】変更
【補正の内容】
【発明の詳細な説明】
【技術分野】
【０００１】
本発明は、環境ナビゲーション装置及び環境ナビゲーションプログラムに関する。
【背景技術】
【０００２】
従来から、室内が快適範囲の範囲内にあるか否かをモニターして表示する装置が提案されている（例えば、特許文献１参照。）。
【特許文献１】特開平６−２０７７３４（第１−８頁、第１−９図）
【発明の開示】
【発明が解決しようとする課題】
【０００３】
しかし、従来の装置では、快適範囲の範囲内にあるか否かがナビゲートされるが、具体的にどのようにして室内を快適範囲の範囲内になるようにするのかが十分にナビゲートされないおそれがある。そのため、室内の空気環境を十分に快適化できないおそれがある。
そこで、本発明の課題は、室内の空気環境を十分に快適化することができる環境ナビゲーション装置及び環境ナビゲーションプログラムを提供することにある。
【課題を解決するための手段】
【０００４】
第１発明に係る環境ナビゲーション装置は、検知部と判定部と提案部とを備える。検知部は、室内の空気環境を検知する。判定部は、室内の空気環境の情報に基づき、室内の空気環境が快適範囲の範囲内であるか否かを判定する。提案部は、少なくとも判定部が判定した結果の情報に基づき、室内の空気環境が快適範囲の範囲内になるような改善方法を提案する。
【０００５】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
したがって、室内の空気環境が快適範囲の範囲内になるような改善方法を提案するので、室内の空気環境を十分に快適化することができる。
【０００６】
第２発明に係る環境ナビゲーション装置は、第１発明の環境ナビゲーション装置であって、発声部をさらに備える。発声部は、提案部が提案した改善方法の情報に基づき、改善方法を音声により報知する。
【０００７】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。発声部が、改善方法の情報を受け取ることができる。発声部が、提案部が提案した改善方法の情報に基づき、改善方法を音声により報知する。
したがって、改善方法を音声により報知するので、改善方法を容易に把握することができる。
【０００８】
第３発明に係る環境ナビゲーション装置は、第１発明の環境ナビゲーション装置であって、表示部をさらに備える。表示部は、提案部が提案した改善方法の情報に基づき、改善方法を画面に表示することにより報知する。
【０００９】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。表示部が、改善方法の情報を受け取ることができる。表示部が、提案部が提案した改善方法の情報に基づき、改善方法を画面に表示することにより報知する。
したがって、改善方法を画面に表示することにより報知するので、改善方法を容易に把握することができる。
【００１０】
第４発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも１つである。
【００１１】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも１つである。検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
【００１２】
したがって、室内の空気環境が快適範囲の範囲内であるか否かを詳細に判定することができるので、室内の空気環境が快適範囲の範囲内になるような改善方法を詳細に提案することができる。
なお、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つである。
【００１３】
第５発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも２つ以上である。判定部は、室内の複数の空気環境に優先順位を付けて、室内の空気環境の情報に基づき、室内の空気環境が快適範囲の範囲内であるか否かを判定する。
【００１４】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも２つ以上である。検知部が、室内の空気環境を検知する。判定部が、室内の空気環境の情報を受け取ることができる。判定部が、室内の複数の空気環境に優先順位を付けて、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。
したがって、室内の複数の空気環境に優先順位を付けて室内の空気環境が快適範囲の範囲内にあるか否かを判定するので、室内の空気環境のうち重要なものを優先的に快適化することができる。
【００１５】
第６発明に係る環境ナビゲーション装置は、第１発明から第３発明のいずれかの環境ナビゲーション装置であって、室内の空気環境は、室内の温度、室内の露点との温度差、室内の湿度、室内の気圧、室内の気流、室内の有害物質の濃度、室内の埃の濃度及び室内のマイナスイオン濃度のうち少なくとも２つ以上である。提案部は、室内の複数の空気環境に優先順位を付けて、少なくとも判定部が判定した結果の情報に基づき、室内の空気環境が快適範囲の範囲内になるような改善方法を提案する。
【００１６】
この環境ナビゲーション装置では、室内の空気環境が、室内の温度、室内の露点との温度差、室内の湿度、室内の気圧、室内の気流、室内の有害物質の濃度、室内の埃の濃度及び室内のマイナスイオン濃度のうち少なくとも２つ以上である。検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、室内の複数の空気環境に優先順位を付けて、少なくとも判定部が判定した結果の情報に基づき、室内の空気環境が快適範囲の範囲内になるような改善方法を提案する。
したがって、室内の複数の空気環境に優先順位を付けて室内の空気環境が快適範囲の範囲内になるような改善方法を提案するので、複数の改善方法がある場合にそれらを調整して提案することができる。
【００１７】
第７発明に係る環境ナビゲーション装置は、第１発明から第６発明のいずれかの環境ナビゲーション装置であって、改善方法は、換気方法及び空調機の運転方法の少なくとも１つである。空調機は、室内の空気環境を調和する。
【００１８】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、少なくとも判定部が判定した結果の情報を受け取ることができる。提案部が、少なくとも判定部が判定した結果の情報に基づき、室内の空気環境が快適範囲の範囲内になるような改善方法を提案する。改善方法が、換気方法及び空調機の運転方法の少なくとも１つである。
したがって、換気方法及び空調機の運転方法の少なくとも１つについて室内の空気環境が快適範囲の範囲内になるような改善方法を提案するので、室内の空気環境を詳細に快適化することができる。
【００１９】
第８発明に係る環境ナビゲーション装置は、第７発明の環境ナビゲーション装置であって、空調機の運転方法は、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法である。
【００２０】
この環境ナビゲーション装置では、検知部が、室内の空気環境を検知する。判定部が、室内の空気環境の情報を受け取ることができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。改善方法が、空調機の運転方法及び換気方法の少なくとも１つである。空調機の運転方法が、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法である。
したがって、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法を提案することができるので、室内の空気環境をさらに詳細に快適化することができる。
【００２１】
第９発明に係る環境ナビゲーション装置は、第１発明から第８発明のいずれかの環境ナビゲーション装置であって、入力部と決定部とをさらに備える。入力部には、室内の空気環境に対する快適感が入力される。決定部は、快適感の情報に基づいて、室内の空気環境の快適範囲を決定する。
【００２２】
この環境ナビゲーション装置では、入力部に、室内の空気環境に対する快適感が入力される。決定部が、快適感の情報を受け取ることができる。決定部が、快適感の情報に基づいて、室内の空気環境の快適範囲を決定する。決定部が決定した快適範囲の情報を記憶することができる。検知部が、室内の空気環境を検知する。判定部が、室内の空気環境の情報を受け取ることができる。判定部が、決定部が決定した快適範囲の情報を参照することができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。
したがって、室内の空気環境の快適範囲が利用者の快適感の情報に基づいて決定されるので、快適範囲を利用者ごとに決定することができる。このため、利用者の好みに合わせて室内の空気環境を快適化することができる。
【００２３】
第１０発明に係る環境ナビゲーション装置は、第９発明の環境ナビゲーション装置であって、第１記憶部をさらに備える。第１記憶部は、決定部が決めた快適範囲を記憶する。
【００２４】
この環境ナビゲーション装置では、入力部に、室内の空気環境に対する快適感が入力される。決定部が、快適感の情報を受け取ることができる。決定部が、快適感の情報に基づいて、室内の空気環境の快適範囲を決定する。第１記憶部が、決定部が決めた快適範囲の情報を受け取ることができる。第１記憶部が、決定部が決めた快適範囲を記憶する。検知部が、室内の空気環境を検知する。判定部が、室内の空気環境の情報を受け取ることができる。判定部が、第１記憶部を参照して、決定部が決めた快適範囲の情報を受け取ることができる。判定部が、室内の空気環境の情報に基づき、室内の空気環境が快適範囲の範囲内であるか否かを判定する。提案部が、室内の空気環境が快適範囲の範囲内であるか否かの情報を受け取ることができる。提案部が、少なくとも判定部が判定した結果の情報に基づき、室内の空気環境が快適範囲の範囲内になるような改善方法を提案する。
したがって、決定部が決めた快適範囲を記憶しているので、決定部が決めた快適範囲の情報を参照することができる。このため、室内の空気環境が利用者の好みにあった快適範囲の範囲内になるような改善方法を提案することができる。
【００２５】
第１１発明に係る環境ナビゲーション方法は、第１発明に係る環境ナビゲーション装置において、室内の空気環境がナビゲートされる環境ナビゲーション方法であって、検知ステップと判定ステップと提案ステップとを備える。検知ステップでは、室内の空気環境が検知される。判定ステップでは、室内の空気環境の情報に基づき、室内の空気環境が快適範囲の範囲内であるか否かが判定される。提案ステップでは、少なくとも判定ステップで判定された結果の情報に基づき、室内の空気環境が快適範囲の範囲内になるような改善方法が提案される。
【００２６】
この環境ナビゲーション方法では、検知ステップにおいて、室内の空気環境が検知される。判定ステップにおいて、室内の空気環境の情報が受け取られ得る。判定ステップにおいて、室内の空気環境の情報に基づき、室内の空気環境が快適範囲の範囲内であるか否かが判定される。提案ステップにおいて、少なくとも判定ステップで判定された結果の情報が受け取られ得る。提案ステップにおいて、少なくとも判定ステップで判定された結果の情報に基づき、室内の空気環境が快適範囲の範囲内になるような改善方法が提案される。
したがって、室内の空気環境が快適範囲の範囲内になるような改善方法を提案するので、室内の空気環境を十分に快適化することができる。
【００２７】
第１２発明に係る環境ナビゲーションプログラムは、第１発明に係る環境ナビゲーション装置に室内の空気環境をナビゲートさせる環境ナビゲーションプログラムであって、検知ステップと判定ステップと提案ステップとを備える。検知ステップでは、室内の空気環境が検知される。判定ステップでは、室内の空気環境の情報に基づき、室内の空気環境が快適範囲の範囲内であるか否かが判定される。提案ステップでは、少なくとも判定ステップで判定された結果の情報に基づき、室内の空気環境が快適範囲の範囲内になるような改善方法が提案される。
【００２８】
この環境ナビゲーションプログラムでは、検知ステップにおいて、室内の空気環境が検知される。判定ステップにおいて、室内の空気環境の情報が受け取られ得る。判定ステップにおいて、室内の空気環境の情報に基づき、室内の空気環境が快適範囲の範囲内であるか否かが判定される。提案ステップにおいて、少なくとも判定ステップで判定された結果の情報が受け取られ得る。提案ステップにおいて、少なくとも判定ステップで判定された結果の情報に基づき、室内の空気環境が快適範囲の範囲内になるような改善方法が提案される。
したがって、室内の空気環境が快適範囲の範囲内になるような改善方法を提案するので、室内の空気環境を十分に快適化することができる。
【００２９】
第１３発明に係る環境ナビゲーション装置は、第１発明から第１０発明のいずれかに係る環境ナビゲーション装置であって、第２記憶部をさらに備える。第２記憶部には、提案情報が記憶される。提案情報では、室内の空気環境と改善方法とが関連付けられている。提案部は、検知部から取得される室内の空気環境を提案情報に照合して改善方法を選択する。
【発明の効果】
【００３０】
第１発明に係る環境ナビゲーション装置では、室内の空気環境が快適範囲の範囲内になるような改善方法を提案するので、室内の空気環境を十分に快適化することができる。
第２発明に係る環境ナビゲーション装置では、改善方法を音声により報知するので、改善方法を容易に把握することができる。
第３発明に係る環境ナビゲーション装置では、改善方法を画面に表示することにより報知するので、改善方法を容易に把握することができる。
【００３１】
第４発明に係る環境ナビゲーション装置では、室内の空気環境が快適範囲の範囲内であるか否かを詳細に判定することができるので、室内の空気環境が快適範囲の範囲内になるような改善方法を詳細に提案することができる。
第５発明に係る環境ナビゲーション装置では、室内の複数の空気環境に優先順位を付けて室内の空気環境が快適範囲の範囲内にあるか否かを判定するので、室内の空気環境のうち重要なものを優先的に快適化することができる。
【００３２】
第６発明に係る環境ナビゲーション装置では、室内の複数の空気環境に優先順位を付けて室内の空気環境が快適範囲の範囲内になるような改善方法を提案するので、複数の改善方法がある場合にそれらを調整して提案することができる。
第７発明に係る環境ナビゲーション装置では、換気方法及び空調機の運転方法の少なくとも１つについて室内の空気環境が快適範囲の範囲内になるような改善方法を提案するので、室内の空気環境を詳細に快適化することができる。
【００３３】
第８発明に係る環境ナビゲーション装置では、空調機の運転モード、空調機の設定温度、空調機の設定湿度、空調機の設定風量、空調機の設定風向、空調機の除湿量、空調機の加湿量、空調機の換気量及び空調機の空気清浄能力の少なくとも１つについての改善方法を提案することができるので、室内の空気環境を詳細に快適化することができる。
第９発明に係る環境ナビゲーション装置では、室内の空気環境の快適範囲が利用者の快適感の情報に基づいて決定されるので、快適範囲を利用者ごとに決定することができる。このため、利用者の好みに合わせて室内の空気環境を快適化することができる。
【００３４】
第１０発明に係る環境ナビゲーション装置では、決定部が決めた快適範囲を記憶しているので、決定部が決めた快適範囲の情報を参照することができる。このため、室内の空気環境が利用者の好みにあった快適範囲の範囲内になるような改善方法を提案することができる。
第１１発明に係る環境ナビゲーション方法では、室内の空気環境が快適範囲の範囲内になるような改善方法を提案するので、室内の空気環境を十分に快適化することができる。
【００３５】
第１２発明に係る環境ナビゲーションプログラムでは、室内の空気環境が快適範囲の範囲内になるような改善方法を提案するので、室内の空気環境を十分に快適化することができる。
【発明を実施するための最良の形態】
【００３６】
［第１実施形態］
本発明の第１実施形態に係る環境ナビゲーション装置１０の概念図を図１に示す。また、本発明の第１実施形態に係る環境ナビゲーション装置１０の構成要素の構成図を図２に示す。図１に示す環境ナビゲーション装置１０は、主として室内ＲＭに設置され、持ち運びが可能である。環境ナビゲーション装置１０は、例えば、図１に示すように、ぴちょんくん（登録商標）の外形を備えている。
【００３７】
＜環境ナビゲーション装置１０の構成＞
図１に示す環境ナビゲーション装置１０は、図２に示すように、主として、検知部１１，判定部１２，提案部１３，発声部１４及び記憶部１５を備える。
図２に示す検知部１１が、室内ＲＭ（図１参照）の空気環境を検知する。判定部１２が、室内ＲＭ（図１参照）の空気環境の情報を検知部１１から受け取る。判定部１２が、記憶部１５を参照し、快適範囲情報１８を取得する。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを、判定部１２から受け取る。ここで、判定部１２が判定した結果の情報は、室内ＲＭ（図１参照）の空気環境が快適範囲の範囲内であるか否かの情報である。提案部１３が、記憶部１５を参照し、提案情報１９を取得する。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。発声部１４が、改善方法の情報を提案部１３から受け取る。発声部１４が、提案部１３が提案した改善方法の情報に基づき、改善方法を音声により報知する。すなわち、室内ＲＭ（図１参照）の空気環境がナビゲートされる。
【００３８】
＜快適範囲情報１８の構成＞
図２に示す快適範囲情報１８は、どのような場合に室内ＲＭ（図１参照）の空気環境が快適範囲の範囲内であるのかを示す情報である。快適範囲情報１８は、例えば、図４に示す情報である。快適範囲情報１８は、図４に示すように、主として、環境欄１８１，下限欄１８２及び上限欄１８３を備える。図４に示す快適範囲情報１８を参照することにより、例えば、温度の快適範囲が２０℃〜２６℃であることが分かる。あるいは、例えば、湿度の快適範囲が４０％〜７０％であることが分かる。あるいは、例えば、露点との温度差の快適範囲が４℃以上であることが分かる。ここで、露点との温度差とは、
露点との温度差＝（室内の温度）−（露点温度）                    （１）
の式で求められる。あるいは、例えば、ＣＯ２濃度の快適範囲が１０００ｐｐｍ以下であることが分かる。
【００３９】
＜提案情報１９の構成＞
図２に示す提案情報１９は、提案部１３が提案する内容の候補となる情報である。提案情報１９は、例えば、図５に示す情報である。提案情報１９は、図５に示すように、主として環境欄１９１，下限欄１９２，上限欄１９３及びナビゲート内容欄１９４を備える。図５に示す提案情報１９を参照することにより、例えば、温度が２７℃以上のときに「設定温度を２４℃にして下さい」と空調機（図示せず）の運転方法がナビゲートされる。ここで、空調機（図示せず）は、室内ＲＭ（図１参照）の空気環境を調和する。あるいは、例えば、温度が１９℃以下のときに「設定温度を２４℃にして下さい」と空調機（図示せず）の運転方法がナビゲートされる。あるいは、例えば、露点との温度差が４℃以上のときに「風量「弱」で除湿運転して下さい」と空調機（図示せず）の運転方法がナビゲートされる。あるいは、例えば、露点との温度差が０℃〜４℃のときに「風量「強」で除湿運転して下さい」と空調機（図示せず）の運転方法がナビゲートされる。あるいは、例えば、露点との温度差が０℃以下のときに「窓を２分間開けて下さい」と換気方法がナビゲートされる。あるいは、例えば、ＣＯ２濃度が３０００ｐｐｍ以上のときに「窓を５分間開けて下さい」と換気方法がナビゲートされる。あるいは、例えば、ＣＯ２濃度が１５５０ｐｐｍ〜３０００ｐｐｍのときに「窓を２分間開けて下さい」と換気方法がナビゲートされる。
【００４０】
＜環境ナビゲーション装置１０が室内ＲＭの空気環境をナビゲートする処理の流れ＞
図１に示す環境ナビゲーション装置１０が室内ＲＭの空気環境をナビゲートする処理の流れを、図３に示すフローチャートを用いて説明する。
図３に示すステップＳ１では、図１に示す室内ＲＭの空気環境が検知される。すなわち、図２に示す検知部１１により、室内ＲＭ（図１参照）の空気環境が検知される。
【００４１】
図３に示すステップＳ２では、図１に示す室内ＲＭの空気環境が快適範囲の範囲内であるか否かが判断される。すなわち、図２に示す環境ナビゲーション装置１０の判定部１２により、室内ＲＭ（図１参照）の空気環境の情報が検知部１１から受け取られる。判定部１２により、記憶部１５が参照され、快適範囲情報１８が取得される。判定部１２により、室内ＲＭ（図１参照）の空気環境の情報に基づき、室内ＲＭ（図１参照）の空気環境が快適範囲の範囲内であるか否かが判定される。快適範囲の範囲内であると判断された場合、ステップＳ１へ進められ、快適範囲の範囲内でないと判断された場合、ステップＳ３へ進められる。
【００４２】
図３に示すステップＳ３では、改善方法が提案される。すなわち、図２に示す環境ナビゲーション装置１０の提案部１３により、判定部１２が判定した結果の情報と室内ＲＭ（図１参照）の空気環境の情報とが、判定部１２から受け取られる。ここで、判定部１２が判定した結果の情報は、室内ＲＭ（図１参照）の空気環境が快適範囲の範囲内であるか否か情報である。提案部１３により、記憶部１５が参照され、提案情報１９が取得される。提案部１３により、判定部１２が判定した結果の情報と室内ＲＭ（図１参照）の空気環境の情報とに基づき、室内ＲＭ（図１参照）の空気環境が快適範囲の範囲内になるような改善方法が提案される。
図３に示すステップＳ４では、ナビゲートが行われる。すなわち、図２に示す環境ナビゲーション装置１０の発声部１４により、改善方法の情報が提案部１３から受け取られる。発声部１４により、提案部１３が提案した改善方法の情報に基づき、改善方法が音声により報知される。これにより、室内ＲＭ（図１参照）の空気環境がナビゲートされる。
【００４３】
＜環境ナビゲーション装置１０に関する特徴＞
（１）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。
したがって、室内ＲＭ（図１参照）の空気環境が快適範囲の範囲内になるような改善方法を提案するので、室内ＲＭ（図１参照）の空気環境を十分に快適化することが可能である。
【００４４】
（２）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。発声部１４が、改善方法の情報を提案部１３から受け取る。発声部１４が、提案部１３が提案した改善方法の情報に基づき、改善方法を音声により報知する。
したがって、改善方法を音声により報知するので、改善方法を容易に把握することが可能である。
【００４５】
（３）
ここでは、図１に示す室内ＲＭの空気環境が、室内ＲＭの温度、室内ＲＭの露点との温度差、室内ＲＭの湿度及び室内のＣＯ２（二酸化炭素）濃度である（図４参照）。図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。
したがって、図１に示す室内ＲＭの空気環境が快適範囲の範囲内であるか否かを詳細に判定することが可能であるので、室内ＲＭの空気環境が快適範囲の範囲内になるような改善方法を詳細に提案することが可能である。
【００４６】
（４）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。改善方法が、換気方法及び空調機の運転方法である（図５参照）。
したがって、換気方法及び空調機の運転方法（図５参照）について室内ＲＭ（図１参照）の空気環境が快適範囲の範囲内になるような改善方法を提案するので、室内ＲＭ（図１参照）の空気環境を詳細に快適化することが可能である。
【００４７】
（５）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報に基づき、室内ＲＭ（図１参照）の空気環境が快適範囲の範囲内であるか否かを判定する。提案部１３が、判定部１２が判定した結果の情報と室内ＲＭ（図１参照）の空気環境の情報とを判定部１２から受け取る。提案部１３が、判定部１２が判定した結果の情報と室内ＲＭ（図１参照）の空気環境の情報とに基づき、室内ＲＭ（図１参照）の空気環境が快適範囲の範囲内になるような改善方法を提案する。改善方法が、換気方法及び空調機の運転方法である（図５参照）。空調機の運転方法が、空調機の運転モード、空調機の設定温度、空調機の設定風量についての改善方法である（図５参照）。
したがって、空調機の運転モード、空調機の設定温度、空調機の設定風量（図５参照）についての改善方法を提案することが可能であるので、室内ＲＭ（図１参照）の空気環境をさらに詳細に快適化することが可能である。
【００４８】
＜第１実施形態の変形例＞
（Ａ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも１つであってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。図２に示す検知部１１は、室内ＲＭの温度、室内ＲＭの湿度及び室内ＲＭの気圧を測定し、これらから室内ＲＭの露点温度を求め、室内ＲＭの露点との温度差を求めることにより、室内ＲＭの露点との温度差を検知してもよい。また、図２に示す検知部１１が室内ＲＭの温度、室内ＲＭの湿度及び室内ＲＭの気圧を検知し、これらの情報に基づいて判定部１２が天気を判定し、発声部１４が天気の予想をナビゲートしてもよい。検知部１２で検知された室内ＲＭの空気環境の情報は、記憶部１５に蓄積されてもよい。さらに、記憶部１５に記憶された室内ＲＭの空気環境の情報が分析されてもよい。図２に示す発声部１４は、例えば、ぴちょんくんの口３１（図１参照）付近に設置されたスピーカー（図示せず）を介して、改善方法を報知してもよい。提案部１３は、判定部１２が判定した結果のみに基づいて、室内ＲＭ（図１参照）の空気環境が快適範囲の範囲内になるような改善方法を提案してもよい。この場合、図５に示す下限欄１９２と上限欄１９３とは無くてもよい。ナビゲート内容欄１９４には、快適範囲を高い方に外れたのか低い方に外れたのかにかかわらず快適範囲を外れた場合にナビゲートされるべき内容が記憶されていてもよい。
【００４９】
（Ｂ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す判定部１２が、室内ＲＭ（図１参照）の複数の空気環境に優先順位を付けて、室内ＲＭ（図１参照）の空気環境の情報に基づき、室内ＲＭ（図１参照）の空気環境が快適範囲の範囲内であるか否かを判定してもよい。例えば、優先順位が室内ＲＭ（図１参照）の温度、室内ＲＭ（図１参照）の露点との温度差の順である場合、判定部１２は、室内ＲＭ（図１参照）の温度が快適範囲の範囲内にあれば、室内ＲＭ（図１参照）の露点との温度差が快適範囲の範囲内でなくても室内ＲＭ（図１参照）の空気環境が快適範囲の範囲内であると判定する。これにより、室内ＲＭ（図１参照）の空気環境のうち重要なもの（例えば、室内ＲＭ（図１参照）の温度）を優先的に快適化することができる。
【００５０】
（Ｃ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す提案部１３は、室内ＲＭ（図１参照）の複数の空気環境に優先順位を付けて、判定部１２が判定した結果の情報と室内ＲＭ（図１参照）の空気環境の情報とに基づき、室内ＲＭ（図１参照）の空気環境が快適範囲の範囲内になるような改善方法を提案してもよい。例えば、優先順位が室内ＲＭ（図１参照）の温度、室内ＲＭ（図１参照）の露点との温度差の順である場合を考える。図５に示すように、室内ＲＭ（図１参照）の温度が１９℃以下であれば、「設定温度を２４℃にしてください。」と空調機の運転方法がナビゲートされる。一方、室内ＲＭ（図１参照）の露点との温度差が０℃以下であれば、「窓を２分間開けてください。」と換気方法がナビゲートされる。この場合、室内ＲＭ（図１参照）の温度が快適範囲よりも低いにもかかわらず窓を開けてしまうと室内ＲＭ（図１参照）の温度が快適範囲よりもさらに低くなってしまう。そこで、提案部１３は、「窓を２分間開けてください。」というナビゲート内容は採用せずに、「設定温度を２４℃にしてください。」という空調機の運転方法のみをナビゲートする。したがって、複数の空気環境に優先順位を付けて室内ＲＭ（図１参照）の空気環境が快適範囲の範囲内になるような改善方法を提案するので、複数の改善方法がある場合にそれらを調整して提案することができる。
【００５１】
（Ｄ）図２に示す提案部１３が提案する改善方法のうち空調機（図示せず）の運転方法は、空調機（図示せず）の運転モード、空調機（図示せず）の設定温度、空調機（図示せず）の設定湿度、空調機（図示せず）の設定風量、空調機（図示せず）の設定風向、空調機（図示せず）の除湿量、空調機（図示せず）の加湿量、空調機（図示せず）の換気量及び空調機（図示せず）の空気清浄能力の少なくとも１つについての改善方法であってもよい。したがって、空調機（図示せず）の運転モード、空調機（図示せず）の設定温度、空調機（図示せず）の設定湿度、空調機（図示せず）の設定風量、空調機（図示せず）の設定風向、空調機（図示せず）の除湿量、空調機（図示せず）の加湿量、空調機（図示せず）の換気量及び空調機（図示せず）の空気清浄能力の少なくとも１つについての改善方法を提案することができるので、室内ＲＭ（図１参照）の空気環境を詳細に快適化することができる。
【００５２】
（Ｅ）図１に示す環境ナビゲーション装置１０は、図２に示すように、決定部１６と入力部１７とをさらに備えてもよい。すなわち、入力部１７に、室内ＲＭ（図１参照）の空気環境に対する快適感が入力される。決定部１６が、快適感の情報を入力部１７から受け取る。決定部１６が、快適感の情報に基づいて、室内ＲＭ（図１参照）の空気環境の快適範囲を決定する。記憶部１５が、決定部１６が決めた快適範囲の情報を決定部１６から受け取る。記憶部１５が、決定部１６が決めた快適範囲を記憶する。すなわち、決定部１６が、決定部１６が決めた快適範囲の情報に基づいて、記憶部１５の快適範囲情報１８をデフォルトの情報から書き換える。
【００５３】
入力部１７には、例えば、図１に示す環境ナビゲーション装置１０（ぴちょんくん）のおでこ３４が押されることにより快適であることが入力されてもよいし、環境ナビゲーション装置１０（ぴちょんくん）の手３２が握られることにより快適であることが入力されてもよいし、環境ナビゲーション装置１０（ぴちょんくん）のお腹３３が押されることにより快適であることが入力されてもよい。あるいは、入力部１７には、例えば、「快適だ」という音声がマイクなどの音声装置を介して入力されてもよい。これらの点で第１実施形態と異なる。
【００５４】
また、図１に示す環境ナビゲーション装置１０が室内ＲＭの空気環境をナビゲートする処理の流れが、次の点で第１実施形態と異なる。なお、図６に示すフローチャートにおいて、図３に示す処理と同様の処理は同じ番号で示してある。
図６に示すステップＳ１１では、図１に示す環境ナビゲーション装置１０の利用者（図示せず）により室内ＲＭ（図１参照）の空気環境が快適であるか否かが判断される。快適であると判断された場合、ステップＳ１２へ進められ、快適でないと判断された場合、ステップＳ１へ進められる。
【００５５】
図６に示すステップＳ１２では、図１に示す環境ナビゲーション装置１０の利用者（図示せず）により室内ＲＭ（図１参照）の空気環境について快適感が入力される。すなわち、図２に示す環境ナビゲーション装置１０の入力部１７に、室内ＲＭ（図１参照）の空気環境に対する快適感が入力される。決定部１６により、快適感の情報が入力部１７から受け取られる。
【００５６】
図６に示すステップＳ１３では、図１に示す室内ＲＭの空気環境が検知される。すなわち、図２に示す環境ナビゲーション装置１０の検知部１１により、室内ＲＭ（図１参照）の空気環境が検知される。決定部１６により、室内ＲＭ（図１参照）の空気環境の情報が検知部１１から受け取られる。
図６に示すステップＳ１４では、図１に示す室内ＲＭの空気環境の快適範囲が決定される。すなわち、図２に示す決定部１６により、快適感の情報と室内ＲＭ（図１参照）の空気環境の情報とに基づいて、室内ＲＭ（図１参照）の空気環境の快適範囲が決定される。例えば、室内ＲＭ（図１参照）の温度が２１℃であるときに快適であるとされた場合、室内ＲＭ（図１参照）の温度の快適範囲である２０℃〜２６℃（図４参照）の幅はそのままで範囲の中心が２３℃から２１℃へとシフトされ、室内ＲＭ（図１参照）の温度の快適範囲が１８℃〜２４℃と決められる。
【００５７】
図６に示すステップＳ１５では、図１に示す室内ＲＭの空気環境の快適範囲が記憶される。すなわち、図２に示す記憶部１５により、決定部１６が決めた快適範囲の情報が決定部１６から受け取られる。記憶部１５により、決定部１６が決めた快適範囲が記憶される。すなわち、記憶部１５により、決定部１６が決めた快適範囲の情報に基づいて、快適範囲情報１８がデフォルトの情報から書き換えられる。
【００５８】
したがって、図１に示す室内ＲＭの空気環境の快適範囲が利用者（図示せず）の快適感の情報に基づいて決定されるので、快適範囲を利用者（図示せず）ごとに決定することができる。このため、利用者（図示せず）の好みに合わせて室内ＲＭの空気環境を快適化することができる。また、決定部１６（図２参照）が決めた快適範囲を記憶しているので、決定部１６（図２参照）が決めた快適範囲の情報を参照することができる。このため、室内ＲＭ（図１参照）の空気環境が利用者（図示せず）の好みにあった快適範囲の範囲内になるような改善方法を提案することができる。
【００５９】
なお、図６に示すステップＳ１５は無くてもよい。この場合、図２に示す入力部１７に快適感が入力されたときのみ快適範囲が変更され、それ以外のときは快適範囲情報１８がデフォルトの快適範囲の情報とされてもよい。この場合、快適範囲情報１８は、書き換えられずデフォルトの情報のままである。決定部１６が決定した快適範囲の情報が、記憶部１５を経由せずに判定部１２へ渡されることになる。
【００６０】
また、図２に示す入力部１７には、不快である旨が入力されてもよい。この場合、決定部１６により、不快であるとされた空気環境が外れるように、室内ＲＭ（図１参照）の空気環境の快適範囲が決定されてもよい。
（Ｆ）図１に示す環境ナビゲーション装置１０の外形は、ぴちょんくんでなくてもよい。例えば、動物のぬいぐるみであってもよいし、折りたたみのいすやテーブルのようなものであってもよいし、絵などを入れる額縁のようなものであってもよいし、電気スタンドや筆箱など、持ち運び可能なものであればどのようなものであってもよい。
【００６１】
［第２実施形態］
本発明の第２実施形態に係る環境ナビゲーション装置１１０の概念図を図７に示す。また、本発明の第２実施形態に係る環境ナビゲーション装置１１０の各構成要素の構成図を図８に示す。図７，図８において、図１，図２の環境ナビゲーション装置１０の構成要素と同様の構成要素は同じ番号で示してある。図７に示す環境ナビゲーション装置１１０は、主として室内ＲＭに設置され、持ち運びが可能である。環境ナビゲーション装置１１０は、例えば、ノートパソコンなどである。
【００６２】
この環境ナビゲーション装置１１０は、図７，図８に示すように、基本的な構造は第１実施形態と同様であり各構成要素は図２と同様であるが、図８に示すように、環境ナビゲーション装置１１０が発声部１４（図２参照）の代わりに表示部１１４を備える点で第１実施形態と異なる。すなわち、図８に示す表示部１１４が、改善方法の情報を提案部１３から受け取る。表示部１１４が、提案部１３が提案した改善方法の情報に基づき、改善方法を画面１３５（図７参照）に表示することにより報知する。したがって、改善方法を画面１３５（図７参照）に表示することにより報知するので、改善方法を容易に把握することが可能である。
室内ＲＭ（図１参照）の空気環境が快適範囲の範囲内になるような改善方法を提案する点は、第１実施形態と同様である。したがって、このような環境ナビゲーション装置１１０によっても、室内ＲＭ（図１参照）の空気環境を十分に快適化することが可能である。
【００６３】
＜第２実施形態の変形例＞
（Ａ）図８に示す入力部１１７は、図７に示すキーボード１３２であってもよい。この場合、室内ＲＭの空気環境に対する快適感として詳細な情報が入力され得る。また、環境ナビゲーション装置１１０は、ノートパソコン以外の携帯情報端末であってもよい。例えば、携帯電話であってもよいし、電子手帳であってもよいし、持ち運び可能なものであればどのようなものであってもよい。
【産業上の利用可能性】
【００６４】
本発明にかかる環境ナビゲーション装置及び環境ナビゲーションプログラムは、室内の空気環境を十分に快適化することができるという効果を有し、環境ナビゲーション装置及び環境ナビゲーションプログラム等として有用である。
【図面の簡単な説明】
【００６５】
【図１】本発明の第１実施形態による環境ナビゲーション装置の概念図。
【図２】本発明の第１実施形態による環境ナビゲーション装置の構成図。
【図３】環境ナビゲーション装置が室内の空気環境をナビゲートする処理の流れを示すフローチャート。
【図４】快適範囲情報の内容を示す概念図。
【図５】提案情報の内容を示す概念図。
【図６】環境ナビゲーション装置が室内の空気環境をナビゲートする処理の流れについての変形例を示すフローチャート。
【図７】本発明の第２実施形態による環境ナビゲーション装置の概念図。
【図８】本発明の第２実施形態による環境ナビゲーション装置の構成図。
【符号の説明】
【００６６】
１０，１１０  環境ナビゲーション装置
１１  検知部
１２  判定部
１３  提案部
１４  発声部
１５  記憶部
１６  決定部
１７，１１７  入力部
１１４  表示部
１３５  画面
ＲＭ  室内